(57)【要約】【課題】ポンプ井に流入する雨水を、雨水ポンプによってポンプ井から河川等へ効率的に排出させるために有用な排出過程制御情報を求めることができる雨水ポンプ運転支援装置、及び当該雨水ポンプ運転支援装置を備えた雨水排出システムを提供することである。【解決手段】雨水排出システム１は、流入幹線３を経てポンプ井５に流入した雨水を雨水ポンプ６によってポンプ井５から排出する際の雨水ポンプの制御情報を含む排出過程制御情報を提供することができる雨水ポンプ運転支援装置２を備えている。雨水ポンプ運転支援装置２はプロセスコントローラ１３を有しいる。プロセスコントローラ１３は、積算流入量算出機能３１と、最大流入量算出機能３３と、過去の降雨の実績制御情報を保持する運転実績保持機能３５と、現在の降雨の排出過程制御情報を求める制御情報獲得機能３７と、を有している。【選択図】  図１
2004150352.tif 000002
【特許請求の範囲】
【請求項１】
流入幹線を経てポンプ井に流入した雨水を雨水ポンプによってポンプ井から排出する際の雨水ポンプの制御情報を含む排出過程制御情報を提供することができる雨水ポンプ運転支援装置であって、
流入幹線内の雨水の流量を計測する幹線流量計と、
幹線流量計に接続され、幹線流量計の計測値に基づいて現在の降雨に対する排出過程制御情報を提供するプロセスコントローラと、を備え、
プロセスコントローラは、
幹線流量計の計測値に基づいて、現在の降雨における流入幹線内の雨水の積算流入量を算出する積算流入量算出機能と、
幹線流量計の計測値に基づいて、現在の降雨における流入幹線内の雨水の単位時間当たりの最大流入量を算出する最大流入量算出機能と、
過去の降雨における流入幹線内の雨水の積算流入量及び単位時間当たりの最大流入量と、当該過去の降雨における排出過程制御情報と、を対応させた実績制御情報を保持する運転実績保存機能と、
積算流入量算出機能が算出した現在の降雨における積算流入量と、最大流入量算出機能が算出した現在の降雨における最大流入量と、運転情報データ保持機能が保持する実績制御情報と、に基づいて、現在の降雨に対する排出過程制御情報を求めることができる制御情報獲得機能と、
を有することを特徴とする雨水ポンプ運転支援装置。
【請求項２】
プロセスコントローラの制御情報獲得機能は、
運転実績保存機能が保持する実績制御情報に基づいて、過去の降雨における流入幹線内の雨水の積算流入量及び単位時間当たりの最大流入量と、当該過去の降雨における排出過程制御情報と、を対応させた実績制御情報基準グラフを作成する基準グラフ作成機能と、
積算流入量算出機能が算出した現在の降雨における流入幹線内の雨水の積算流入量と、最大流入量算出機能が算出した現在の降雨における流入幹線内の雨水の最大流入量と、に基づいて、現在の降雨に関する流入幹線内の雨水の積算流入量と単位時間当たりの最大流入量とを対応させた降雨軌跡を作成する軌跡作成機能と、
基準グラフ作成機能によって作成された実績制御情報基準グラフと、軌跡作成機能によって作成された降雨軌跡と、を照らし合わせて、現在の降雨に対する排出過程制御情報を求めるデータ照合機能と、
を有することを特徴とする請求項１に記載の雨水ポンプ運転支援装置。
【請求項３】
プロセスコントローラに接続され、地上における降雨の開始及び終了を検知する降雨検知器を更に備えた雨水ポンプ運転支援装置であって、
プロセスコントローラの積算流入量算出機能は、降雨検知器による地上における降雨の開始及び終了に関する検知結果に基づいて、現在の降雨に関する流入幹線内の雨水の積算流入量を算出し、
プロセスコントローラの最大流入量算出機能は、降雨検知器による地上における降雨の開始及び終了に関する検知結果に基づいて、現在の降雨に関する流入幹線内の雨水の単位時間当たりの最大流入量を算出する
ことを特徴とする請求項１又は２のいずれかに記載の雨水ポンプ運転支援装置。
【請求項４】
プロセスコントローラの運転実績保存機能は、降雨検知器によって現在の降雨の終了が検知された際に、当該現在の降雨に関する流入幹線内の雨水の積算流入量及び単位時間当たりの最大流入量と、当該現在の降雨における実際の排出過程制御情報と、を反映させた補正を実績制御情報に加えて、当該補正後の実績制御情報を保持する
ことを特徴とする請求項３に記載の雨水ポンプ運転支援装置。
【請求項５】
プロセスコントローラの運転実績保存機能が保持する実績制御情報は、過去の降雨における流入幹線内の雨水の積算流入量及び単位時間当たりの最大流入量と、当該過去の降雨における雨水ポンプの運転台数に関する情報と、を対応させたポンプ運転情報を含み、
プロセスコントローラの制御情報獲得機能は、雨水ポンプの必要運転台数に関する情報を含む排出過程制御情報を求める
ことを特徴とする請求項１乃至４のいずれかに記載の雨水ポンプ運転支援装置。
【請求項６】
流入幹線とポンプ井との間には、流入幹線からポンプ井に流入する雨水の流量を調整する流入量調整ゲートが更に設けられており、
プロセスコントローラの運転実績保存機能が保持する実績制御情報は、過去の降雨における流入幹線内の雨水の積算流入量及び単位時間当たりの最大流入量と、当該過去の降雨における流入量調整ゲートに関する情報と、を対応させたゲート運転情報を含み、
プロセスコントローラの制御情報獲得機能が提供する排出過程制御情報は、流入量調整ゲートの運転状態に関する情報を含む
ことを特徴とする請求項１乃至５のいずれかに記載の雨水ポンプ運転支援装置。
【請求項７】
流入幹線を経てポンプ井に流入した雨水を雨水ポンプによってポンプ井から排出する際の雨水ポンプの制御情報を含む排出過程制御情報を提供することができる雨水ポンプ運転支援装置であって、
流入幹線内の雨水の流量を計測する幹線流量計と、
幹線流量計に接続され、幹線流量計の計測値に基づいて現在の降雨に対する排出過程制御情報を提供するプロセスコントローラと、を備え、
プロセスコントローラは、
幹線流量計の計測値に基づいて、現在の降雨における雨水のポンプ井への流入量を演算する雨水ポンプ井流入量演算機能と、
雨水ポンプ井流入量演算機能の演算値に基づいて、現在の降雨における雨水のポンプ井への積算流入量を算出する積算流入量算出機能と、
雨水ポンプ井流入量演算機能の演算値に基づいて、現在の降雨における雨水のポンプ井への単位時間当たりの最大流入量を算出する最大流入量算出機能と、
過去の降雨における雨水のポンプ井への積算流入量及び単位時間当たりの最大流入量と、当該過去の降雨における排出過程制御情報と、を対応させた実績制御情報を保持する運転実績保存機能と、
積算流入量算出機能が算出した現在の降雨における積算流入量と、最大流入量算出機能が算出した現在の降雨における最大流入量と、運転情報データ保持機能が保持する実績制御情報と、に基づいて、現在の降雨に対する排出過程制御情報を求めることができる制御情報獲得機能と、
を有することを特徴とする雨水ポンプ運転支援装置。
【請求項８】
プロセスコントローラの制御情報獲得機能は、
運転実績保存機能が保持する実績制御情報に基づいて、過去の降雨における雨水のポンプ井への積算流入量及び単位時間当たりの最大流入量と、当該過去の降雨における排出過程制御情報と、を対応させた実績制御情報基準グラフを作成する基準グラフ作成機能と、
積算流入量算出機能が算出した現在の降雨における雨水のポンプ井への積算流入量と、最大流入量算出機能が算出した現在の降雨における雨水のポンプ井への最大流入量と、に基づいて、現在の降雨に関する雨水のポンプ井への積算流入量と単位時間当たりの最大流入量とを対応させた降雨軌跡を作成する軌跡作成機能と、
基準グラフ作成機能によって作成された実績制御情報基準グラフと、軌跡作成機能によって作成された降雨軌跡と、を照らし合わせて、現在の降雨に対する排出過程制御情報を求めるデータ照合機能と、
を有することを特徴とする請求項７に記載の雨水ポンプ運転支援装置。
【請求項９】
プロセスコントローラに接続され、地上における降雨の開始及び終了を検知する降雨検知器を更に備えた雨水ポンプ運転支援装置であって、
プロセスコントローラの積算流入量算出機能は、降雨検知器による地上における降雨の開始及び終了に関する検知結果に基づいて、現在の降雨における雨水のポンプ井への積算流入量を算出し、
プロセスコントローラの最大流入量算出機能は、降雨検知器による地上における降雨の開始及び終了に関する検知結果に基づいて、現在の降雨における雨水のポンプ井への単位時間当たりの最大流入量を算出する
ことを特徴とする請求項７又は８のいずれかに記載の雨水ポンプ運転支援装置。
【請求項１０】
プロセスコントローラの運転実績保存機能は、降雨検知器によって現在の降雨の終了が検知された際に、当該現在の降雨に関する雨水のポンプ井への積算流入量及び単位時間当たりの最大流入量と、当該現在の降雨における実際の排出過程制御情報と、を反映させた補正を実績制御情報に加えて、当該補正後の実績制御情報を保持する
ことを特徴とする請求項９に記載の雨水ポンプ運転支援装置。
【請求項１１】
プロセスコントローラの運転実績保存機能が保持する実績制御情報は、過去の降雨における雨水のポンプ井への積算流入量及び単位時間当たりの最大流入量と、当該過去の降雨における雨水ポンプの運転台数に関する情報と、を対応させたポンプ運転情報を含み、
プロセスコントローラの制御情報獲得機能は、雨水ポンプの必要運転台数に関する情報を含む排出過程制御情報を求める
ことを特徴とする請求項７乃至１０のいずれかに記載の雨水ポンプ運転支援装置。
【請求項１２】
流入幹線とポンプ井との間には、流入幹線からポンプ井に流入する雨水の流量を調整する流入量調整ゲートが更に設けられており、
プロセスコントローラの運転実績保存機能が保持する実績制御情報は、過去の降雨における雨水のポンプ井への積算流入量及び単位時間当たりの最大流入量と、当該過去の降雨における流入量調整ゲートに関する情報と、を対応させたゲート運転情報を含み、
プロセスコントローラの制御情報獲得機能が提供する排出過程制御情報は、流入量調整ゲートの運転状態に関する情報を含む
ことを特徴とする請求項７乃至１１のいずれかに記載の雨水ポンプ運転支援装置。
【請求項１３】
プロセスコントローラに接続され、プロセスコントローラの制御情報獲得機能によって求められた排出過程制御情報を提示する機能を有する情報提示装置を更に備えている
ことを特徴とする請求項１乃至１２のいずれかに記載の雨水ポンプ運転支援装置。
【請求項１４】
情報提示装置は、プロセスコントローラの運転実績保存機能の保持する実績制御情報を提示することができる機能を更に有する
ことを特徴とする請求項１３に記載の雨水ポンプ運転支援装置。
【請求項１５】
情報提示装置は、ガイダンス形式によって情報を提示することを特徴とする請求項１３又は１４のいずれかに記載の雨水ポンプ運転支援装置。
【請求項１６】
情報提示装置は、音声を伴った形式によって情報を提示することを特徴とする請求項１３乃至１５のいずれかに記載の雨水ポンプ運転支援装置。
【請求項１７】
地上へ降雨した雨水を集水する流入幹線と、
流入幹線からの雨水を貯留するポンプ井と、
請求項１乃至１６のうちいずれか１項に記載の雨水ポンプ運転支援装置と、
雨水ポンプ運転支援装置のプロセスコントローラに接続され、ポンプ井から雨水を排出することができる１以上の雨水ポンプと、を備え、
雨水ポンプ運転支援装置のプロセスコントローラは、ポンプ制御情報獲得機能の求めた現在の降雨に対する排出過程制御情報に基づいて雨水ポンプを制御する制御機能を更に有している
ことを特徴とする雨水排出システム。
【請求項１８】
地上へ降雨した雨水を集水する流入幹線と、
流入幹線からの雨水を貯留するポンプ井と、
請求項６又は１２のうちいずれか１項に記載の雨水ポンプ運転支援装置と、
雨水ポンプ運転支援装置のプロセスコントローラに接続され、ポンプ井から雨水を排出することができる１以上の雨水ポンプと、
雨水ポンプ運転支援装置のプロセスコントローラに接続されると共に、流入幹線とポンプ井との間に設けられ、流入幹線からポンプ井に流入する雨水の流量を調整する流入量調整ゲートと、を備え、
雨水ポンプ運転支援装置のプロセスコントローラは、ポンプ制御情報獲得機能の求めた現在の降雨に対する排出過程制御情報に基づいて、雨水ポンプ及び流入量調整ゲートのうち少なくともいずれか一方を制御する制御機能を更に有している
ことを特徴とする雨水排出システム。
【発明の詳細な説明】
【０００１】
【発明の属する技術分野】
本発明は、ポンプ井に流入する雨水を河川等に排出する雨水ポンプの制御情報を含む排出過程制御情報を提供することができる雨水ポンプ運転支援装置、及び当該雨水ポンプ運転支援装置を備えた雨水排出システムに関する。
【０００２】
【従来の技術】
地上に降り注いだ雨水は、通常、地中に設けられた流入幹線を経てポンプ井へ流入し、その後、雨水ポンプによってポンプ井から河川等へ排出される。
【０００３】
このとき、ポンプ井に流入する雨水を、雨水ポンプによってポンプ井から河川等へ効率的に排出させるために、様々な手法が考えられている。
【０００４】
例えば、類似日検索により過去のある程度似たような降雨状況の運転を参考にするような、過去の運転実績を利用した雨水ポンプの制御手法が考えられている。
【０００５】
また、雨量レーダ、管渠内水位計、地上雨量計等を用いて、ポンプ井への雨水の流入量予測、あるいは管渠内の雨水の貯留量予測を行って、その予測結果から雨水ポンプの運転台数を求める手法が考えられている。
【０００６】
【発明が解決しようとする課題】
従来、上述のような手法に基づいて雨水ポンプを制御することにより、ポンプ井から河川等への効率的な雨水の排出が図られていた。
【０００７】
このような従来の手法は、降雨状態に応じた雨水ポンプの必要十分な稼動を実現することに関して、非常に有用なものであった。そして、より効率的な雨水の排出を実現するために、更に有用な手法を用いた装置・システムの開発が望まれていた。
【０００８】
本発明はこのような点を考慮してなされたものであり、ポンプ井に流入する雨水を、雨水ポンプによってポンプ井から河川等へ効率的に排出させるために有用な排出過程制御情報を求めることができる雨水ポンプ運転支援装置、及び当該雨水ポンプ運転支援装置を備えた雨水排出システムを提供することを目的とする。
【０００９】
【課題を解決するための手段】
本発明は、流入幹線を経てポンプ井に流入した雨水を雨水ポンプによってポンプ井から排出する際の雨水ポンプの制御情報を含む排出過程制御情報を提供することができる雨水ポンプ運転支援装置であって、流入幹線内の雨水の流量を計測する幹線流量計と、幹線流量計に接続され、幹線流量計の計測値に基づいて現在の降雨に対する排出過程制御情報を提供するプロセスコントローラと、を備え、プロセスコントローラは、幹線流量計の計測値に基づいて、現在の降雨における流入幹線内の雨水の積算流入量を算出する積算流入量算出機能と、幹線流量計の計測値に基づいて、現在の降雨における流入幹線内の雨水の単位時間当たりの最大流入量を算出する最大流入量算出機能と、過去の降雨における流入幹線内の雨水の積算流入量及び単位時間当たりの最大流入量と、当該過去の降雨における排出過程制御情報と、を対応させた実績制御情報を保持する運転実績保存機能と、積算流入量算出機能が算出した現在の降雨における積算流入量と、最大流入量算出機能が算出した現在の降雨における最大流入量と、運転情報データ保持機能が保持する実績制御情報と、に基づいて、現在の降雨に対する排出過程制御情報を求めることができる制御情報獲得機能と、を有することを特徴とする雨水ポンプ運転支援装置である。本発明によれば、雨水ポンプ運転支援装置のプロセスコントローラの各機能によって、幹線流量計の計測値に基づき現在の降雨に対する排出過程制御情報が求められる。
【００１０】
また、本発明は、流入幹線を経てポンプ井に流入した雨水を雨水ポンプによってポンプ井から排出する際の雨水ポンプの制御情報を含む排出過程制御情報を提供することができる雨水ポンプ運転支援装置であって、流入幹線内の雨水の流量を計測する幹線流量計と、幹線流量計に接続され、幹線流量計の計測値に基づいて現在の降雨に対する排出過程制御情報を提供するプロセスコントローラと、を備え、プロセスコントローラは、幹線流量計の計測値に基づいて、現在の降雨における雨水のポンプ井への流入量を演算する雨水ポンプ井流入量演算機能と、雨水ポンプ井流入量演算機能の演算値に基づいて、現在の降雨における雨水のポンプ井への積算流入量を算出する積算流入量算出機能と、雨水ポンプ井流入量演算機能の演算値に基づいて、現在の降雨における雨水のポンプ井への単位時間当たりの最大流入量を算出する最大流入量算出機能と、過去の降雨における雨水のポンプ井への積算流入量及び単位時間当たりの最大流入量と、当該過去の降雨における排出過程制御情報と、を対応させた実績制御情報を保持する運転実績保存機能と、積算流入量算出機能が算出した現在の降雨における積算流入量と、最大流入量算出機能が算出した現在の降雨における最大流入量と、運転情報データ保持機能が保持する実績制御情報と、に基づいて、現在の降雨に対する排出過程制御情報を求めることができる制御情報獲得機能と、を有することを特徴とする雨水ポンプ運転支援装置である。本発明によれば、雨水ポンプ運転支援装置のプロセスコントローラの各機能によって、幹線流量計の計測値に基づき現在の降雨に対する排出過程制御情報が求められる。
【００１１】
本発明は、地上へ降雨した雨水を集水する流入幹線と、流入幹線からの雨水を貯留するポンプ井と、上記の雨水ポンプ運転支援装置と、雨水ポンプ運転支援装置のプロセスコントローラに接続され、ポンプ井から雨水を排出することができる１以上の雨水ポンプと、を備え、雨水ポンプ運転支援装置のプロセスコントローラは、ポンプ制御情報獲得機能の求めた現在の降雨に対する排出過程制御情報に基づいて雨水ポンプを制御する制御機能を更に有していることを特徴とする雨水排出システムである。本発明によれば、プロセスコントローラの制御機能によって、現在の降雨に対する排出過程制御情報に基づき雨水ポンプが適切に制御されうる。
【００１２】
本発明は、地上へ降雨した雨水を集水する流入幹線と、流入幹線からの雨水を貯留するポンプ井と、上記に記載の雨水ポンプ運転支援装置と、雨水ポンプ運転支援装置のプロセスコントローラに接続され、ポンプ井から雨水を排出することができる１以上の雨水ポンプと、雨水ポンプ運転支援装置のプロセスコントローラに接続されると共に、流入幹線とポンプ井との間に設けられ、流入幹線からポンプ井に流入する雨水の流量を調整する流入量調整ゲートと、を備え、雨水ポンプ運転支援装置のプロセスコントローラは、ポンプ制御情報獲得機能の求めた現在の降雨に対する排出過程制御情報に基づいて、雨水ポンプ及び流入量調整ゲートのうち少なくともいずれか一方を制御する制御機能を更に有していることを特徴とする雨水排出システムである。本発明によれば、プロセスコントローラの制御機能によって、現在の降雨に対する排出過程制御情報に基づき雨水ポンプ及び流入量調整ゲートが適切に制御されうる。
【００１３】
【発明の実施の形態】
以下、図面を参照して本発明の実施の形態について説明する。
【００１４】
第１の実施の形態
図１乃至図４は、本発明に基づく雨水排出システムの第１の実施の形態を示す図である。図１は、雨水排出システムの全体構成を示す概略図である。図２は、雨水排出システムの機能的な関係を示す概略図である。図３は、過去の降雨に基づく実績制御情報基準グラフと、現在の降雨に基づく降雨軌跡と、を示す図である。図４は、雨水ポンプの運転台数等に関する排出過程制御情報を算出する過程の概略を示すフローチャート図である。
【００１５】
図１に示すように、本実施の形態における雨水排出システム１は、地中に設けられた流入幹線３と、流入渠４を介して流入幹線３に接続されたポンプ井５と、ポンプ井５に設置された１以上（本実施の形態では複数）の雨水ポンプ６と、流入幹線３とポンプ井５との間に設けられた流入量調整ゲート７と、を備えている。また、雨水排出システム１は雨水ポンプ運転支援装置２を備えており、当該雨水ポンプ運転支援装置２は、流入幹線３内の雨水の流量を計測する幹線流量計１１と、幹線流量計１１に接続された後述されるプロセスコントローラ１３と、を有している。
【００１６】
流入幹線３は、地上へ降雨した雨水を集水するようになっており、流入幹線３に集水された雨水は、流入渠４を経てポンプ井５へ流入するようになっている。
【００１７】
ポンプ井５は、流入幹線３から流入渠４を介して送られてくる雨水が貯留されるようになっている。
【００１８】
雨水ポンプ６は、雨水ポンプ運転支援装置２のプロセスコントローラ１３に接続されており、ポンプ井５から雨水を排出することができるようになっている。なお、雨水ポンプ６によってポンプ井５から排出された雨水は、河川等へ放出されるようになっている。また、各雨水ポンプ６には吐出弁８が設けられており、吐出弁８の開閉の程度を調節することによって、ポンプ井５からの雨水の排出量を調整することができるようになっている。そして、各雨水ポンプ６の稼動の有無や吐出弁８の開度等は、雨水ポンプ運転状態信号２１として、プロセスコントローラ１３に送られるようになっている。
【００１９】
流入量調整ゲート７は、雨水ポンプ運転支援装置２のプロセスコントローラ１３に接続されており、流入幹線３からポンプ井５に流入する雨水の流量を調整することができるようになっている。そして、流入量調整ゲート７の開閉の程度等は、ゲート運転状態信号２３として、プロセスコントローラ１３に送られるようになっている。
【００２０】
雨水ポンプ運転支援装置２は、上述の幹線流量計１１及びプロセスコントローラ１３の他に、プロセスコントローラ１３に接続された降雨検知器１５と、プロセスコントローラ１３に伝送路１７を介して接続された情報提示装置１９と、を有している。
【００２１】
降雨検知器１５は地上雨量計を含んで構成されており、地上における降雨の開始及び終了を検知することができるようになっている。具体的には、降雨検知器１５によって検出される所定の降雨パルス（降雨がある場合に検出されるパルスであって、例えば０．５ｍｍの降雨量に対応するパルス）の間隔が所定の時間（例えば、ｍ時間）に達した場合には、当該所定時間を介した先の降雨と後の降雨とは別の降雨と判断し、当該所定の降雨パルスの最初の検出タイミングが降雨開始のタイミングとして検知されるようになっている。そして、降雨検知器１５によって検知された地上における降雨の開始及び終了は、降雨量信号２５として、プロセスコントローラ１３に送られるようになっている。
【００２２】
雨水ポンプ運転支援装置２のプロセスコントローラ１３は、図２に示すように、積算流入量算出機能３１と、最大流入量算出機能３３と、運転実績保存機能３５と、制御情報獲得機能３７と、制御機能３９と、を有しており、幹線流量計１１の計測値に基づいて現在の降雨に対する排出過程制御情報を提供することができるようになっている。なお、ここでいう排出過程制御情報とは、雨水ポンプ６の必要運転台数に関する情報と、流入量調整ゲート７の運転状態に関する情報と、を含む情報である。
【００２３】
幹線流量計１１は、計測した流入幹線３内の雨水の流量を、流量信号２７として、プロセスコントローラ１３に送るようになっている。
【００２４】
プロセスコントローラ１３の積算流入量算出機能３１は、幹線流量計１１の計測値と、降雨検知器１５による地上における降雨の開始及び終了に関する検知結果と、に基づいて、現在の降雨における流入幹線３内の雨水の積算流入量を算出するようになっている。
【００２５】
プロセスコントローラ１３の最大流入量算出機能３３は、幹線流量計１１の計測値と、降雨検知器１５による地上における降雨の開始及び終了に関する検知結果と、に基づいて、現在の降雨における流入幹線３内の雨水の単位時間当たりの最大流入量を算出するようになっている。
【００２６】
プロセスコントローラ１３の運転実績保存機能３５は、過去の降雨における流入幹線３内の雨水の積算流入量及び単位時間当たりの最大流入量と、当該過去の降雨における排出過程制御情報と、を対応させた実績制御情報を保持するようになっている。
【００２７】
また、当該運転実績保存機能３５は、降雨検知器１５によって現在の降雨の終了が検知された際に、当該現在の降雨に関する流入幹線３内の雨水の積算流入量及び単位時間当たりの最大流入量と、当該現在の降雨における実際の排出過程制御情報と、を反映させた補正を実績制御情報に加えて、当該補正後の実績制御情報を保持するようになっている。
【００２８】
なお、運転実績保存機能３５が保持する実績制御情報は、ポンプ運転情報と、ゲート運転情報と、を含んだ情報である。ここでいうポンプ運転情報とは、過去の降雨における流入幹線３内の雨水の積算流入量及び単位時間当たりの最大流入量と、当該過去の降雨における雨水ポンプ６の運転台数に関する情報と、を対応させた情報である。また、ゲート運転情報とは、過去の降雨における流入幹線３内の雨水の積算流入量及び単位時間当たりの最大流入量と、当該過去の降雨における流入量調整ゲート７に関する情報と、を対応させた情報である。
【００２９】
プロセスコントローラ１３の制御情報獲得機能３７は、基準グラフ作成機能４１と軌跡作成機能４３と照合機能４５とを有しており、積算流入量算出機能３１の算出した現在の降雨における積算流入量と、最大流入量算出機能３３の算出した現在の降雨における最大流入量と、運転情報データ保持機能の保持する実績制御情報と、に基づいて、現在の降雨に対する排出過程制御情報を求めることができるようになっている。
【００３０】
制御情報獲得機能３７の有する基準グラフ作成機能４１は、運転実績保存機能３５が保持する実績制御情報に基づいて、過去の降雨における流入幹線３内の雨水の積算流入量及び単位時間当たりの最大流入量と、当該過去の降雨における排出過程制御情報と、を対応させた実績制御情報基準グラフを作成するようになっている。
【００３１】
具体的には、過去の降雨における流入幹線３内の雨水の積算流入量及び単位時間当たりの最大流入量と、当該過去の降雨における排出過程制御情報と、を対応させたものを、実績制御情報に含まれる過去の情報に基づいてグラフ上にプロットする。そして、このようにしてプロットされたグラフにおいて、過去の降雨における流入幹線３内の雨水の積算流入量及び単位時間当たりの最大流入量と、当該過去の降雨における排出過程制御情報と、を対応させたゾーンを作成して、当該グラフを実績制御情報基準グラフとするようになっている（図３参照）。
【００３２】
制御情報獲得機能３７の有する軌跡作成機能４３は、積算流入量算出機能３１が算出した現在の降雨における流入幹線３内の雨水の積算流入量と、最大流入量算出機能３３が算出した現在の降雨における流入幹線３内の雨水の最大流入量と、に基づいて、現在の降雨に関する流入幹線３内の雨水の積算流入量と単位時間当たりの最大流入量とを対応させた降雨開始時からの降雨軌跡を作成するようになっている（図３参照）。
【００３３】
制御情報獲得機能３７の有する照合機能４５は、基準グラフ作成機能４１によって作成された雨水ポンプ運転情報基準グラフと、軌跡作成機能４３によって作成された降雨軌跡と、を照らし合わせて、現在の降雨に対する排出過程制御情報を求めるようになっている。
【００３４】
また、プロセスコントローラ１３の有する制御機能３９は、ポンプ制御情報獲得機能３７の求めた現在の降雨に対する排出過程制御情報に基づいて、雨水ポンプ６及び流入量調整ゲート７のうち少なくともいずれか一方を制御するようになっている。
【００３５】
一方、情報提示装置１９は、プロセスコントローラ１３の制御情報獲得機能３７によって求められた排出過程制御情報を提示する機能と、プロセスコントローラ１３の運転実績保存機能３５の保持する実績制御情報を提示することができる機能と、有している。当該情報提示装置１９は、ガイダンス形式や音声を伴った形式によって情報（排出過程制御情報、実績制御情報、等）を提示することができるようになっている。
【００３６】
上述のような構成を有する雨水ポンプ運転支援装置２は、流入幹線３を経てポンプ井５に流入した雨水を雨水ポンプ６によってポンプ井５から排出することに関連した雨水ポンプ６の制御情報を含む排出過程制御情報を提供することができるようになっている。
【００３７】
なお、幹線流量計１１、降雨検知器１５、雨水ポンプ６、流入量調整ゲート７及び情報提示装置１９と、プロセスコントローラ１３と、の接続は、有線方式、無線方式のいずれであっても構わない。従って、プロセスコントローラ１３とプロセスコントローラ１３に接続される各装置との間で送受信される各信号は、例えば、有線通信方式によって伝えられる電気的信号であってもよく無線通信によって伝えられる電波的信号であってもよい。
【００３８】
次にこのような構成からなる本実施の形態の作用について説明する。
【００３９】
降雨が始まると、降雨検知器１５によって降雨の開始が検知され、当該検知結果が、雨水ポンプ運転支援装置２のプロセスコントローラ１３へと伝えられる。また、降雨により地上に降り注いだ雨水は、地中に染み込んで流入幹線３に集水され、流入幹線３から流入渠４を経てポンプ井５に流入する。
【００４０】
この時、流入量調整ゲート７の開閉の程度によって、流入幹線３からポンプ井５に流入する雨水の流量が調整されている。また、流入幹線３内の雨水の流量は、幹線流量計１１によって計測され、プロセスコントローラ１３へ伝えられる。
【００４１】
そして、ポンプ井５に流入して貯留されている雨水は、雨水ポンプ６によって吸い上げられて、ポンプ井５から河川等へ排出される。これにより、雨水がポンプ井５から溢れ出してしまうことを防止することができるようになっている。
【００４２】
ところで、このような降雨時における雨水ポンプ６及び流入量調整ゲート７は、以下のようにして、雨水ポンプ運転支援装置２により制御されている。
【００４３】
すなわち、降雨検知器１５によって降雨の開始が検知されると、雨水ポンプ運転支援装置２のプロセスコントローラ１３の積算流入量算出機能３１によって、現在の降雨における流入幹線３内の雨水の積算流入量が算出される。この時、積算流入量算出機能３１は、降雨検知器１５によって降雨の開始が検知された後における、幹線流量計１１から送られてくる流入幹線３内の雨水の流量に基づいて、積算流入量を算出する。
【００４４】
また、降雨検知器１５によって降雨の開始が検知されると、プロセスコントローラ１３の最大流入量算出機能３３によって、現在の降雨における流入幹線３内の雨水の単位時間当たりの最大流入量が算出される。この時、最大流入量算出機能３３は、降雨検知器１５によって降雨の開始が検知された後における、幹線流量計１１から送られてくる流入幹線３内の雨水の流量に基づいて、現在の降雨における流入幹線３内の雨水の単位時間当たりの最大流入量を算出する。
【００４５】
そして、運転実績保存機能３５が保持する実績制御情報に基づき、プロセスコントローラ１３の制御情報獲得機能３７の基準グラフ作成機能４１によって、過去の降雨における実績制御情報基準グラフが作成される。また、積算流入量算出機能３１により算出された積算流入量及び最大流入量算出機能３３により算出された最大流入量に基づいて制御情報獲得機能３７の軌跡作成機能４３によって、現在の降雨における降雨軌跡が作成される。そして、制御情報獲得機能３７の照合機能４５によって、作成された雨水ポンプ運転情報基準グラフと降雨軌跡とが照らし合わせられ、現在の降雨に対する排出過程制御情報が求められる。
【００４６】
例えば、基準グラフ作成機能４１及び軌跡作成機能４３によって、図３に示すような実績制御情報基準グラフ及び降雨軌跡が作成されている場合について考えてみる。図３に示す実績制御情報基準グラフにおいて、Ｘ軸は積算流入量を示し、Ｙ軸は最大流入量を示し、雨水ポンプの必要運転台数及び流入量調整ゲートの運転操作の有無に対応する各ゾーンが、境界線によって仕切られている。照合機能４５によって降雨軌跡の先端位置に対応する実績制御情報基準グラフの情報が求められ、図３に示されるような場合には、現在の降雨に対する雨水ポンプ６の必要運転台数は３台であるという排出過程制御情報が照合機能によって求められる。
【００４７】
そして、上記のようにして制御情報獲得機能３７により求められられた排出過程制御情報に基づいて、プロセスコントローラ１３の制御機能３９によって、雨水ポンプ６及び流入量調整ゲート７の運転状態が制御される。例えば、上述した図３に示すような排出過程制御情報が求められた場合には、制御機能３９によって３台の雨水ポンプ６が稼動制御されることとなる。
【００４８】
なお、雨水ポンプ６及び流入量調整ゲート７の制御を、上述のようにプロセスコントローラ１３の制御機能３９によって自動的に行う方式の他に、運転員等による手動的に行う方式によっても実現することが可能である。このような運転員等による手動的な方式として、例えば、情報提示装置３７を介してプロセスコントローラを制御する方式等が考えられる。従って、制御情報獲得機能３７によって求められた雨水ポンプの必要運転台数及び流入量調整ゲートの運転状態に関する排出過程制御情報と、実際の雨水ポンプの稼動運転台数及び流入量調整ゲートの運転状態とは、必ずしも一致しない。
【００４９】
一方、上記のようにして制御情報獲得機能３７により求められた排出過程制御情報は、情報提示装置１９によって、運転支援情報としてガイダンス形式や音声を伴った形式により運転員等に対して提示される。同様にして、運転実績保存機能３５の保持する実績制御情報に含まれる任意のデータを、情報提示装置１９によって、履歴再生情報として文字表示等によるガイダンス形式や音声を伴った形式により運転員等に対して提示することも可能である。
【００５０】
上述のような、排出過程制御情報を求めて運転員等に当該排出過程制御情報を提示するまでの一連の過程は、例えば図４に示されている各ステップ（ＳＴＥＰ）に従って行われうる。
【００５１】
すなわち、軌跡作成機能４３によって現在の降雨における降雨軌跡が描かれる（図４のＳＴＥＰ−ａ１）と共に、降雨検知器１５によって現在の降雨の終了の有無が検知される（ＳＴＥＰ−ａ２）。そして、現在の降雨が終了が検知されない場合には、降雨軌跡が描かれ、当該降雨軌跡が実績制御情報基準グラフに示されている各ゾーンの境界線を横切った場合には（ＳＴＥＰ−ａ３）、降雨軌跡の先端位置に対応する排出過程制御情報が情報提示装置１９において提示される（ＳＴＥＰ−ａ４）。また、プロセスコントローラ１３の制御機能３９は、降雨軌跡の先端位置に対応する排出過程制御情報に基づいて、雨水ポンプ６及び流入量調整ゲート７を制御する。
【００５２】
現在の降雨が継続している間は、上述のようにして、雨水ポンプ６及び流入量調整ゲート７が制御されると共に、情報提示装置１９を介して排出過程制御情報や実績制御情報が提供される。一方、降雨検知器１５によって降雨の終了が検知されると（ＳＴＥＰ−ａ２）、当該検知結果が、雨水ポンプ運転支援装置２のプロセスコントローラ１３へと伝えられる。
【００５３】
そして、プロセスコントローラ１３は、降雨検知器１５から降雨が終了した旨の検知結果が送られてきた場合には、運転実績保存機能３５によって、当該現在の降雨に関する流入幹線３内の雨水の積算流入量及び単位時間当たりの最大流入量と、当該現在の降雨における実際の排出過程制御情報と、を反映させた補正を実績制御情報に加えて、当該補正後の実績制御情報を保持する（ＳＴＥＰ−ａ５）。これにより、基準グラフ作成機能４１によって作成される実績制御情報基準グラフにおいて、雨水ポンプ６の運転台数に関する情報及び流入量調整ゲート７の運転情報を含む実績制御情報に関する境界線（図３参照）を変更する必要が生じた場合であっても、実績制御情報に対して確実にこの変更が加えられることとなる。
【００５４】
以上説明したように、本実施の形態の雨水排出システム１では、過去の実績情報（実績制御情報）に基づいた有効な運転支援情報（排出過程制御情報）を運転員等に提供することができると共に、過去の実績情報（実績制御情報）に基づいた雨水ポンプ６及び流入量調整ゲート７の有効な制御が可能である。このため、降雨の際には、比較的信頼性の高い運転支援情報を提供することができると共に、雨水ポンプ６及び流入量調整ゲート７の比較的信頼性の高い制御が可能となる。
【００５５】
また、排出過程制御情報は、幹線流量計１１の計測値及び降雨検知器１５の検知結果に基づく比較的簡素な算出によって算出されうる。このため、排出過程制御情報を短時間で算出することができると共に、精度良く求めることができる。
【００５６】
更に、幹線流量計１１が設置されている流入幹線３は、ポンプ井５に流入渠４を介して直接的に接続されており、幹線流量計１１をポンプ井５に対して比較的近接した位置で設置することができる。このため、幹線流量計１１に対応する機器類を地上等設ける雨水排出システムに比べて、本実施の形態の雨水排出システム１は、ポンプ井５に流入する雨水の積算流入量や最大流入量を精度良く求めることが可能となる。特に、ポンプ井５に対する幹線流量計１１の位置を調節することにより、ポンプ井５への雨水流入量の計測精度の調整が可能となる。
【００５７】
また、過去の実績情報である実績制御情報は、降雨が終了する毎に、当該降雨に基づく補正が加えられるので、次回の降雨の際には、最新の情報を加味した実績制御情報に基づいて運転支援情報（排出過程制御情報）が算出されうることとなる。このため、運転実績保存機能３５は信頼性の高い実績制御情報を常に保持しうることとなり、例えば、プロセスコントローラ１３の制御情報獲得機能３７によって算出された雨水ポンプ６の運転台数等に関する排出過程制御情報と、実際の排出過程制御情報とが相異する降雨が生じた場合には、当該降雨時の実際の排出過程制御情報が反映された排出過程制御情報に基づいて、次回以降の降雨に対応しうることとなる。
【００５８】
また、本実施の形態の雨水排出システム１は、幹線流量計１１や降雨検知器１５のような比較的小型の機器類によって構成されており、従来技術で用いられていた雨量レーダーのような大規模な設備を必要としない。このため、本実施の形態の雨水排出システム１は、比較的安価に実現されうる。
【００５９】
なお、制御機能３９によって雨水ポンプ６の運転を制御する際には、各雨水ポンプ６のポンプ駆動源の稼動の有無を調整したり、吐出弁８の開度を調節したりすることにより、各雨水ポンプ６による雨水排出量を制御してもよい。
【００６０】
第２の実施の形態
図５及び図６は、本発明に基づく雨水排出システムの第２の実施の形態を示す図である。図５は、雨水排出システムの機能的な関係を示す概略図である。図６は、現在の降雨における雨水のポンプ井への積算流入量を算出する過程の概略を示す説明図である。
【００６１】
本実施の形態では、雨水ポンプ運転支援装置２のプロセスコントローラ１３は、図５に示すように、雨水ポンプ井流入量演算機能４０と、積算流入量算出機能３１と、最大流入量算出機能３３と、運転実績保存機能３５と、制御情報獲得機能３７と、制御機能３９と、を有しており、幹線流量計１１の計測値に基づいて現在の降雨に対する排出過程制御情報を提供することができるようになっている。
【００６２】
プロセスコントローラ１３の雨水ポンプ井流入量演算機能４０は、幹線流量計１１の計測値に基づいて、ポンプ井５へ流入する雨水の流入量（ポンプ井流入量）Ｑｐを演算することができるようになっている。具体的には、幹線流量Ｑｓとポンプ井流入量Ｑｐとの関係を関数ｆによって表した、Ｑｐ＝ｆ（Ｑｓ）、という関係式に基づいて、幹線流量Ｑｓからポンプ井流入量Ｑｐを演算するようになっている。
【００６３】
この関数ｆは、過去の幹線流量Ｑｓ及びポンプ井流入量Ｑｐのデータを用いて統計的に処理することにより求めた関数が用いられうるようになっている。通常は、関数式の形を決めて、実際のデータから誤差が最小となるような係数を決める方法を用いることができる。これにより、幹線流量計１１とポンプ井５との間において流入幹線３内に流入した雨水（横流入）の分をも考慮した、ポンプ井流入量Ｑｐを演算することが可能となる。
【００６４】
プロセスコントローラ１３の積算流入量算出機能３１は、雨水ポンプ井流入量演算機能４０を介して送られてくる、ポンプ井流入量Ｑｐと、降雨検知器１５による地上における降雨の開始及び終了に関する検知結果と、に基づいて、現在の降雨における雨水のポンプ井５への積算流入量を算出するようになっている。
【００６５】
プロセスコントローラ１３の最大流入量算出機能３３は、雨水ポンプ井流入量演算機能４０を介して送られてくる、ポンプ井流入量Ｑｐと、降雨検知器１５による地上における降雨の開始及び終了に関する検知結果と、に基づいて、現在の降雨における雨水のポンプ井５への単位時間当たりの最大流入量を算出するようになっている。
【００６６】
プロセスコントローラ１３の運転実績保存機能３５は、過去の降雨における雨水のポンプ井５への積算流入量及び単位時間当たりの最大流入量と、当該過去の降雨における排出過程制御情報と、を対応させた実績制御情報を保持するようになっている。
【００６７】
また、当該運転実績保存機能３５は、降雨検知器１５によって現在の降雨の終了が検知された際に、当該現在の降雨に関する雨水のポンプ井５への積算流入量及び単位時間当たりの最大流入量と、当該現在の降雨における実際の排出過程制御情報と、を反映させた補正を実績制御情報に加えて、当該補正後の実績制御情報を保持するようになっている。
【００６８】
なお、運転実績保存機能３５が保持する実績制御情報は、ポンプ運転情報と、ゲート運転情報と、を含んだ情報である。ここでいうポンプ運転情報とは、過去の降雨における雨水のポンプ井５への積算流入量及び単位時間当たりの最大流入量と、当該過去の降雨における雨水ポンプ６の運転台数に関する情報と、を対応させた情報である。また、ゲート運転情報とは、過去の降雨における雨水のポンプ井５への積算流入量及び単位時間当たりの最大流入量と、当該過去の降雨における流入量調整ゲート７に関する情報と、を対応させた情報である。
【００６９】
プロセスコントローラ１３の制御情報獲得機能３７は、基準グラフ作成機能４１と軌跡作成機能４３と照合機能４５とを有しており、積算流入量算出機能３１の算出した現在の降雨における積算流入量と、最大流入量算出機能３３の算出した現在の降雨における最大流入量と、運転情報データ保持機能の保持する実績制御情報と、に基づいて、現在の降雨に対する排出過程制御情報を求めることができるようになっている。
【００７０】
制御情報獲得機能３７の有する基準グラフ作成機能４１は、運転実績保存機能３５が保持する実績制御情報に基づいて、過去の降雨における雨水のポンプ井５への積算流入量及び単位時間当たりの最大流入量と、当該過去の降雨における排出過程制御情報と、を対応させた実績制御情報基準グラフを作成するようになっている。
【００７１】
具体的には、過去の降雨における雨水のポンプ井５への積算流入量及び単位時間当たりの最大流入量と、当該過去の降雨における排出過程制御情報と、を対応させたものを、実績制御情報に含まれる過去の情報に基づいてグラフ上にプロットする。そして、このようにしてプロットされたグラフにおいて、過去の降雨における雨水のポンプ井５への積算流入量及び単位時間当たりの最大流入量と、当該過去の降雨における排出過程制御情報と、を対応させたゾーンを作成して、当該グラフを実績制御情報基準グラフとするようになっている。
【００７２】
制御情報獲得機能３７の有する軌跡作成機能４３は、積算流入量算出機能３１が算出した現在の降雨における雨水のポンプ井５への積算流入量と、最大流入量算出機能３３が算出した現在の降雨における雨水のポンプ井５への最大流入量と、に基づいて、現在の降雨に関する雨水のポンプ井５への積算流入量と単位時間当たりの最大流入量とを対応させた降雨開始時からの降雨軌跡を作成するようになっている。
【００７３】
制御情報獲得機能３７の有する照合機能４５は、基準グラフ作成機能４１によって作成された雨水ポンプ運転情報基準グラフと、軌跡作成機能４３によって作成された降雨軌跡と、を照らし合わせて、現在の降雨に対する排出過程制御情報を求めるようになっている。
【００７４】
本実施の形態における雨水排出システムの他の構成は、図１乃至図４に示されている第１の実施の形態における構成と略同一である。第１の実施の形態と同一部分には同一符号を付して詳細な説明は省略する。
【００７５】
本実施の形態では、降雨時における雨水ポンプ６及び流入量調整ゲート７は、以下のようにして、雨水ポンプ運転支援装置２により制御されている。
【００７６】
すなわち、降雨検知器１５によって降雨の開始が検知されると、雨水ポンプ運転支援装置２のプロセスコントローラ１３の雨水ポンプ井流入量演算機能４０によって、ポンプ井５へ流入する雨水の流入量（ポンプ井流入量）Ｑｐが演算される。この時、雨水ポンプ井流入量演算機能４０は、図６に示すように、幹線流量計１１の計測値と、降雨検知器１５による地上における降雨の開始及び終了に関する検知結果と、に基づき、Ｑｐ＝ｆ（Ｑｓ）、という関係式を用いて、ポンプ井５へ流入する雨水の流入量（ポンプ井流入量）Ｑｐを演算する。
【００７７】
そして、ポンプ井流入量演算機能４０の演算したポンプ井流入量Ｑｐに基づき、プロセスコントローラ１３の積算流入量算出機能３１によって、現在の降雨における流入幹線３内の雨水の積算流入量が算出される。この時、積算流入量算出機能３１は、降雨検知器１５によって降雨の開始が検知された後における、幹線流量計１１から送られてくる雨水のポンプ井５への流量（ポンプ井流入量Ｑｐ）に基づいて、積算流入量を算出する。
【００７８】
また、降雨検知器１５によって降雨の開始が検知されると、プロセスコントローラ１３の最大流入量算出機能３３によって、現在の降雨における雨水のポンプ井５への単位時間当たりの最大流入量が算出される。この時、最大流入量算出機能３３は、降雨検知器１５によって降雨の開始が検知された後における、雨水ポンプ井流入量演算機能４０から送られてくる雨水のポンプ井５への流量（ポンプ井流入量Ｑｐ）に基づいて、現在の降雨における雨水のポンプ井５への単位時間当たりの最大流入量を算出する。
【００７９】
そして、運転実績保存機能３５が保持する実績制御情報に基づき、プロセスコントローラ１３の制御情報獲得機能３７の基準グラフ作成機能４１によって、過去の降雨における実績制御情報基準グラフが作成される。また、積算流入量算出機能３１により算出された積算流入量及び最大流入量算出機能３３により算出された最大流入量に基づいて制御情報獲得機能３７の軌跡作成機能４３によって、現在の降雨における降雨軌跡が作成される。そして、制御情報獲得機能３７の照合機能４５によって、作成された雨水ポンプ運転情報基準グラフと降雨軌跡とが照らし合わせられ、現在の降雨に対する排出過程制御情報が求められる。
【００８０】
そして、上記のようにして制御情報獲得機能３７により求められられた排出過程制御情報に基づいて、プロセスコントローラ１３の制御機能３９によって、雨水ポンプ６及び流入量調整ゲート７の運転状態が制御される。
【００８１】
一方、上記のようにして制御情報獲得機能３７により求められた排出過程制御情報は、情報提示装置１９によって、運転支援情報としてガイダンス形式や音声を伴った形式により運転員等に対して提示される。同様にして、運転実績保存機能３５の保持する実績制御情報に含まれる任意のデータを、情報提示装置１９によって、履歴再生情報として文字表示等によるガイダンス形式や音声を伴った形式により運転員等に対して提示することも可能である。
【００８２】
以上説明したように、本実施の形態の雨水排出システム１においても、過去の実績情報（実績制御情報）に基づいた有効な運転支援情報（排出過程制御情報）を運転員等に提供することができると共に、過去の実績情報（実績制御情報）に基づいた雨水ポンプ６及び流入量調整ゲート７の有効な制御が可能である。このため、降雨の際には、比較的信頼性の高い運転支援情報を提供することができると共に、雨水ポンプ６及び流入量調整ゲート７の比較的信頼性の高い制御が可能となる。
【００８３】
次に本実施の形態の一変形例について説明する。
【００８４】
プロセスコントローラ１３の制御情報獲得機能３７の基準グラフ作成機能４１は、作成した実績制御情報基準グラフを記憶することも可能である。この場合、照合機能４５は、基準グラフ作成機能４１が記憶している実績制御情報基準グラフに基づいて排出過程制御情報を求めるようになっている。
【００８５】
そして、図７のフローチャート図に示すように、現在の降雨が終了した旨の検知結果が降雨検知器１５からプロセスコントローラ１３へ送られた場合には、制御情報獲得機能３７は、当該現在の降雨に関する補正を基準グラフ作成機能４１の記憶する実績制御情報基準グラフ加えるようになっている。すなわち、降雨検知器１５によって現在の降雨が終了したか否かが検知され（図７のＳＴＥＰ−ｂ１）、現在の降雨が終了した旨が検知された場合には、基準グラフ作成機能４１によって当該現在の降雨の情報を実績制御情報基準グラフにプロットする（ＳＴＥＰ−ｂ２）。そして、当該現在の降雨に対応するプロットによって、実績制御情報基準グラフの各ゾーンの境界線を変更する必要があるか否かが基準グラフ作成機能４１によって判断され（ＳＴＥＰ−ｂ３）、変更が必要であると判断された場合には境界線が変更される（ＳＴＥＰ−ｂ４）。これにより、基準グラフ作成機能４１の記憶する実績制御情報基準グラフは、最新の情報が考慮された補正が加えられたものとなる。そして、上述の実施の形態と同様にして、運転実績保存機能３５の記憶する実績制御情報にも補正が加えられるようになっている（ＳＴＥＰ−ｂ５）。
【００８６】
なお、上述の本実施の形態及びその変形例では、図３に示すようなグラフ状のデータが用いられているが、本件発明はこれに限定されるものではない。例えば、数値データの状態で、過去の降雨における各種データ（情報）と、現在の降雨における各種データ（情報）と、を照合して、雨水ポンプ６の必要運転台数や流入量調整ゲート７の運転状態に関する排出過程制御情報を得ることも、本件発明によれば可能である。
【００８７】
【発明の効果】
以上説明したように、本発明によれば、雨水ポンプ運転支援装置のプロセスコントローラの各機能によって、幹線流量計の計測値に基づき現在の降雨に対する排出過程制御情報が、比較的簡便に精度良く求められる。このため、このようにして求められる排出過程制御情報は、ポンプ井に流入する雨水を、雨水ポンプによってポンプ井から河川等へ効率的に排出させるために有用な情報として活用されうる。
【図面の簡単な説明】
【図１】本発明の第１の実施の形態の雨水排出システムの全体構成を示す概略図である。
【図２】本発明の第１の実施の形態の雨水排出システムの機能的な関係を示す概略図である。
【図３】過去の降雨に基づく実績制御情報基準グラフと、現在の降雨に基づく降雨軌跡と、を示す図である。Ｘ軸は積算流入量を示し、Ｙ軸は最大流入量を示し、雨水ポンプの必要運転台数及び流入量調整ゲートの運転操作の有無に対応する各ゾーンが、境界線によって仕切られている。
【図４】雨水ポンプの運転台数等に関する排出過程制御情報を算出する過程の概略を示すフローチャート図である。
【図５】本発明の第２の実施の形態の雨水排出システムの機能的な関係を示す概略図である。
【図６】現在の降雨における雨水のポンプ井への積算流入量を算出する過程の概略を示す説明図である。
【図７】一実施の形態の変形例において、実績制御情報基準グラフに補正を加える過程を示すフローチャート図である。
【符号の説明】
１  雨水排出システム
３  流入幹線
４  流入渠
５  ポンプ井
６  雨水ポンプ
７  流入量調整ゲート
８  吐出弁
２  雨水ポンプ運転支援装置
１１  幹線流量計
１３  プロセスコントローラ
１５  降雨検知器
１７  伝送路
１９  情報提示装置
２１  雨水ポンプ運転状態信号
２３  ゲート運転状態信号
２５  降雨量信号
２７  流量信号
３１  積算流入量算出機能
３３  最大流入量算出機能
３５  運転実績保存機能
３７  制御情報獲得機能
３９  制御機能
４１  基準グラフ作成機能
４３  軌跡作成機能
４５  照合機能
【図１】
2004150352.tif 000003
【図２】
2004150352.tif 000004
【図３】
2004150352.tif 000005
【図４】
2004150352.tif 000006
【図５】
2004150352.tif 000007
【図６】
2004150352.tif 000008
【図７】
2004150352.tif 000009